(57)【要約】【課題】より効率的な外気導入と吸気温度の低下を実現することができる車両用外気導入構造を提供する。【解決手段】車両１００前部のエンジンルーム１１０内の、車両前方へ延びる第１吸気通路２ａと車両側方へ延びる第２吸気通路２ｂとに流入側が分岐したエンジン吸気ダクト２へ外気を導入するための車両用外気導入構造であって、一対の外気導入ダクト１ａ及び１ｂを備え、一対の外気導入ダクト１ａ及び１ｂの各々の前端１１ａ及び１１ｂは、それぞれ車両前面に開口し、一方の外気導入ダクト１ａの後端１２ａは、第１吸気通路２ａに直接連通し、他方の外気導入ダクト１ｂの後端１２ｂは、エンジンルーム内で、第２吸気通路２ａの近傍に開口している。【選択図】図１
2007326487.tif 000002
【特許請求の範囲】
【請求項１】
車両前部のエンジンルーム内に配置され、車両前方へ延びる第１吸気通路と車両側方へ延びる第２吸気通路とに流入側が分岐したエンジン吸気ダクトへ外気を導入するための車両用外気導入構造であって、
各々の前端がそれぞれ車両前面に開口した一対の外気導入ダクトを備え、
一方の外気導入ダクトの後端は、上記第１吸気通路に直接連通し、
他方の外気導入ダクトの後端は、エンジンルーム内で、上記第２吸気通路の近傍に開口していることを特徴とする車両用外気導入構造。
【請求項２】
上記エンジン吸気ダクトの第２吸気通路は、エンジンルーム内で、車両側方に向かって開口し、
上記他方の外気導入ダクトの後端は、上記第２吸気通路の軸線方向に対して側方から、当該第２吸気通路に向かって開口していることを特徴とする請求項１記載の車両用外気導入構造。
【請求項３】
上記一対の外気導入ダクトの各々は、それぞれ前方に向かって下降する傾斜部分を有することを特徴とする請求項１又は２記載の車両用外気導入構造。
【請求項４】
上記一対の外気導入ダクトの各々は、エンジンルーム内で車両幅方向に延在するバンパーレインフォースメントの上方に延び、
上記傾斜部分の各々は、それぞれ上記バンパーレインフォースメントの延在位置よりも車両前方側に設けられていることを特徴とする請求項３記載の車両用外気導入構造。
【請求項５】
上記一対の外気導入ダクトの各々は、その前部下方に、走行風をエンジンルームの下部に支持された熱交換器へ導く導風手段をそれぞれ有することを特徴とする請求項１乃至４のいずれか一項に記載の車両用外気導入構造。
【請求項６】
上記導風手段は、車幅方向に延在しする導風板から構成され、
上記導風板の前端は、上記一対の外気導入ダクトの下面に接し、
上記導風板の後端は、後方へ向かって、水平に又は斜め下方向に延びることを特徴とする請求項５記載の車両用外気導入構造。
【請求項７】
上記導風手段は、車両前後方向に延びる互いに平行な複数の導風縦フィンから構成されることを特徴とする請求項５記載の車両のエンジンルーム外気導入構造。
【発明の詳細な説明】
【技術分野】
【０００１】
本発明は、車両用外気導入構造に係り、より詳細には、車両のエンジンルーム内のエンジン吸気ダクトに外気を導入するための車両用外気導入構造に関する。
【背景技術】
【０００２】
従来の車両用外気導入構造の一例が、下記の特許文献１に開示されている。この特許文献１に開示の技術によれば、エアクリーナーに接続されたエンジン吸気ダクトと、オイルクーラーに接続された冷却風導入ダクトとを車体前後方向に延在させ、これらダクトの先端を車体前端部に開口させている。これにより、簡単且つコンパクトな構造で吸気性能及び冷却性能を高めている。
【０００３】
ところで、吸気効率の観点からは、エアクリーナー上流のエンジン吸気ダクトを、車両前方へ直進させて開口することが望ましい。しかし、エンジン吸気ダクトをストレートに開口させると、吸気音が大きくなる。
【０００４】
一方、エアクリーナーから車両前方に延びるエンジン吸気ダクトを屈曲させ、車両側方に延ばしてから開口させれば、吸気音を小さくすることができる。しかし、この場合、エンジン吸気ダクトをストレートに開口させた場合よりも、吸気効率は低下する。
【０００５】
そこで、エンジン吸気ダクトの流入側を分岐させ、車両前方へ延びる第１吸気通路と、車両側方へ延びる第２吸気通路の両方を設けたエンジン吸気ダクトが開発され、スポーツカー等に実装されている。かかるエンジン吸気ダクトでは、分岐部に設けた弁によって、車速等に応じて、使用する吸気通路が切り替えられる。これにより、市街地等の一般道路を通常に走行する場合には、屈曲した第２吸気通路から吸気することにより、静粛性を優先させるとともに、高速道路等を高速走行する場合には、ストレートの第１吸気通路から吸気することにより、吸気効率を優先させることができる。
【０００６】
【特許文献１】特開２００１−０８０３７０号公報
【発明の開示】
【発明が解決しようとする課題】
【０００７】
しかしながら、走行中のエンジンルーム内は、熱交換器の廃熱等により高温となる。このため、エンジンルーム内のエンジン吸気ダクトからの吸気温度が高くなる。一方、熱機関としてのエンジン効率を高めるには、吸気温度が低いことが望ましい。また、エンジン効率をより高めるには、吸気効率の更なる向上が望まれる。
【０００８】
そこで、本発明は、より効率的な外気導入と吸気温度の低下を実現することができる車両用外気導入構造を提供することを目的としている。
【課題を解決するための手段】
【０００９】
上記の目的を達成するため、本発明の車両用外気導入構造は、車両前部のエンジンルーム内に配置され、車両前方へ延びる第１吸気通路と車両側方へ延びる第２吸気通路とに流入側が分岐したエンジン吸気ダクトへ外気を導入するための車両用外気導入構造であって、各々の前端がそれぞれ車両前面に開口した一対の外気導入ダクトを備え、一対の外気導入ダクトの各々の前端は、それぞれ車両前面に開口し、一方の外気導入ダクトの後端は、第１吸気通路に直接連通し、他方の外気導入ダクトの後端は、エンジンルーム内で、第２吸気通路の近傍に開口していることを特徴としている。
【００１０】
このように構成された本発明の車両用外気導入構造によれば、エンジン吸気ダクトの第１吸気通路には、一方の外気導入ダクトが直接連通しているので、その外気導入ダクトを介して、車両前面から、外気を効率的に導入することができる。また、エンジン吸気ダクトの第２吸気通路には、他方の外気導入ダクトが直接連通されず、他方の外気導入ダクトの後端が、第２吸気通路の近傍に開口しているので、他方の外気導入ダクトから導入された外気によって、エンジンルーム内の温度を下げ、第２吸気通路からの吸気温度を低下させることができる。したがって、本発明の車両用外気導入構造によれば、より効率的な外気導入と吸気温度の低下を実現することができる。
【００１１】
また、本発明において好ましくは、エンジン吸気ダクトの第２吸気通路は、エンジンルーム内で、車両側方に向かって開口し、他方の外気導入ダクトの後端は、第２吸気通路の軸線方向に対して側方から、当該第２吸気通路に向かって開口している。
このように第２吸気通路と他方の外気導入ダクトを配置することにより、外気導入ダクトと第２吸気通路とを直接連通させた場合よりも、吸気音の音量を低減することができる。また、外気導入ダクトから第２吸気通路への外部の水分や埃の進入の低減を図ることができる。
【００１２】
また、本発明において好ましくは、一対の外気導入ダクトの各々は、それぞれ前方に向かって下降する傾斜部分を有する。
このように傾斜部分を設けることにより、一対の外気導入ダクトからの第１及び第２吸気通路への水分や埃の進入防止を図ることができる。
【００１３】
また、本発明において好ましくは、一対の外気導入ダクトの各々は、エンジンルーム内で車両幅方向に延在するバンパーレインフォースメントの上方に延び、傾斜部分の各々は、それぞれバンパーレインフォースメントの延在位置よりも車両前方側に設けられている。
これにより、一対の外気導入ダクトを、エンジンルーム内でコンパクトなレイアウトで配置することができるとともに、外気導入ダクトに傾斜部分を容易に設けることができる。
【００１４】
また、本発明において好ましくは、一対の外気導入ダクトの各々は、その前部下方に、走行風をエンジンルームの下部に支持された熱交換器へ導く導風手段をそれぞれ有する。
これにより、エンジンルーム内の熱交換器への導風手段を、外気導入ダクトで支持して設けることができる。
【００１５】
また、本発明において好ましくは、上記導風手段は、車幅方向に延在しする導風板から構成され、導風板の前端は、上記一対の外気導入ダクトの下面に接し、導風板の後端は、後方へ向かって、水平又は斜め下方向に延びる。
かかる導風板を設けることにより、外気導入ダクト後方への風の巻き込みが防止される。これにより、走行風が熱交換器へ効率的に導かれるとともに、走行風の通過速度の向上を図ることができる。
【００１６】
また、本発明において好ましくは、上記導風手段は、車両前後方向に延びる互いに平行な複数の導風縦フィンから構成される。
かかる導風縦フィンを設けることにより、外気導入ダクト下方からエンジンルーム内へ流入する走行風の車幅方向の乱れが整流される。これにより、熱交換器への導風効率の向上を図ることができる。
【発明の効果】
【００１７】
本発明の車両用外気導入構造によれば、より効率的な外気導入と吸気温度の低下を実現することができる。
【発明を実施するための最良の形態】
【００１８】
以下、添付の図面を参照して、本発明の車両用外気導入構造の実施形態を説明する。
（第１実施形態）
まず、図１を参照して、第１実施形態の車両用外気導入構造について説明する。
図１（ａ）は、第１実施形態の車両用外気導入構造を備えた車両のエンジンルーム内の配置を説明するための上面概略図である。また、図１（ｂ）は、実施形態の車両用外気導入構造を備えた車両の前面概略図である。
なお、図１（ａ）では、図１（ｂ）に示す車両の前部のボンネット１２０を外した状態で示している。また、図１（ｂ）では、車両上部の図示を省略している。
【００１９】
本実施形態の外気導入構造は、車両１００前部のエンジンルーム１１０内の、エアクリーナー３の上流側のエンジン吸気ダクト２へ外気を導入するためのものである。エンジン吸気ダクト２に導入された外気は、エアクリーナー３において埃や水などが除かれた後、吸気マニフォールド４１を通ってエンジン（例えば、ロータリーエンジン）４へ給気される。
【００２０】
エンジン吸気ダクト２の流入側は、車両前方へ延びる第１吸気通路２ａと、車両側方へ延びる第２吸気通路２ｂとに分岐している。車両走行時に使用される吸気通路は、分岐部に設けた弁（図示せず。）によって、例えば車速やエンジン回転数に応じて切り替えられる。これにより、市街地等の一般道路を通常に走行する場合には、屈曲した第２吸気通路２ｂから吸気することにより、静粛性を優先させ、また、高速道路等を高速走行する場合には、ストレートの第１吸気通路２ａから吸気することにより、吸気効率を優先させることができる。
【００２１】
そして、このエンジン吸気ダクト２の第１給気通路２ａ及び第２給気通路２ｂに外気を導入するための車両用外気導入構造として、一対の外気導入ダクト１ａ及び１ｂを備えている。図１（ｂ）に示すように、一対の外気導入ダクト１ａ及び１ｂの各々の前端１１ａ及び１１ｂは、それぞれ車両前面に開口している。本実施形態では、フロントグリル５の上部の、ライセンスプレート（ナンバープレート）５０の両側に、外気導入ダクト１ａ及び１ｂが、それぞれ開口している。
【００２２】
さらに、図２（ａ）及び図２（ｂ）に、図１（ａ）のIIａ−IIａ線及びIIｂ−IIｂ線に沿った断面図をそれぞれ示す。
なお、図２（ａ）及び図２（ｂ）では、図面の理解を容易にするため、断面の切り口以外の構造の図示を一部省略している。
【００２３】
図１（ａ）及び図２（ａ）に示すように、一方の外気導入ダクト１ａの後端１２ａは、第１吸気通路２ａの前端２１に直接連通している。これにより、その外気導入ダクト１ａにより、車両前面から第１給気通路２ａへ外気を効率的に導入することができる。その結果、例えば、高速走行時の吸気効率の更なる向上を図ることができる。
なお、第１吸気通路２ａと一方の外気導入ダクト１ａとを一体の連続形成体としてもよい。
【００２４】
一方、図１（ａ）及び図２（ｂ）に示すように、他方の外気導入ダクト１ｂの後端１２ｂは、エンジンルーム内で、第２吸気通路２ｂの近傍に開口している。より具体的には、エンジン吸気ダクト２の第２吸気通路２ｂは、エンジンルーム１１０内で、車両側方に向かって開口している。これに対して、他方の外気導入ダクト１ｂの後端１２ｂは、第２吸気通路２ｂの軸線方向に対して側方から、第２吸気通路２ｂに向かって開口している。換言すれば、他方の外気導入ダクト１ｂの後端１２ｂは、第２吸気通路２ｂの延在位置よりも車両前方側で、車両後方へ向かって開口している。
【００２５】
これにより、他方の外気導入ダクト１ｂから導入された外気によって、エンジンルーム１１０内の温度を下げ、第２吸気通路２ｂからの吸気温度を低下させることができる。また、外気導入ダクト１ｂの後端１２ｂの開口と、第２吸気通路２ｂの先端２２の開口とが向かい合っていないので、外気導入ダクト１ｂと第２吸気通路２ｂとを直接連通させた場合よりも、吸気音の音量を低減することができる。その上、かかる配置関係により、外気導入ダクト１ｂから第２吸気通路２ｂへの外部の水分や埃の進入の低減を図ることができる。
【００２６】
なお、図１（ａ）では、第２吸気通路２ｂの先端２２は、外気導入ダクト１ｂの後端１２ｂの正面を完全に横切ってから側方へ向かって開口しているが、第２吸気通路２ｂと外気導入ダクト１ｂとの配置関係はこれに限定されない。例えば、第２吸気通路２ｂの先端２２が、外気導入ダクト１ｂの後端１２ｂの正面を完全に横切らずに、この後端１２ｂの正面の途中まで延びて、側方へ向かって開口するような配置関係としてもよい。
【００２７】
また、図２（ａ）及び図２（ｂ）に示すように、一対の外気導入ダクト１ａ及び１ｂの各々は、それぞれ前方に向かって下降する傾斜部分Ｃを有する。より具体的には、一対の外気導入ダクト１ａ及び１ｂの各々は、エンジンルーム１１０内で車両幅方向に延在するバンパーレインフォースメント６の上方に延び、傾斜部分Ｃの各々は、それぞれバンパーレインフォースメント６の延在位置よりも車両前方側に設けられている。
【００２８】
このように傾斜部分Ｃを設けることにより、一対の外気導入ダクト１ａ及び１ｂからの第１及び第２吸気通路２ａ及び２ｂへの水分や埃の進入防止を図ることができる。その上、バンパーレインフォースメント６の前方に傾斜部分Ｃを配置することにより、エンジンルーム内でコンパクトなレイアウトで配置しつつ、外気導入ダクト１ａ及び１ｂに前方から後方へ向かって上昇する傾斜を付けることができる。
【００２９】
（第２実施形態）
次に、図３を参照して、第２実施形態の車両用外気導入構造について説明する。図３は、第２実施形態の車両用外気導入構造を示す、車両前後方向に沿った断面図である。
なお、図３では、図面の理解を容易にするため、断面の切り口以外の構造の図示を一部省略している。
【００３０】
第２実施形態の車両用外気導入構造は、一対の外気導入ダクト１ａ及び１ｂの各々の前部下方に、エンジンルームの下部に支持された熱交換器７へ走行風を導く導風手段を設けた点を除いては、上述の第１実施形態と同一である。このため、第２実施形態では、第１実施形態と同一の構成部分には同一符号を付し、それらの説明を省略する。
【００３１】
第２実施形態における導風手段は、外気導入ダクト１ａ及び１ｂで支持され、車幅方向に延在しする導風板８から構成されている。導風板８の前端８１は、一対の外気導入ダクト１ａ及び１ｂの下面にそれぞれ接し、導風板８の後端８２は、後方へ向かって、水平に又は斜め下方向に延びている。
なお、導風板８の厚さ、面積等の寸法形状、及び、材質は、任意好適なものを選択することができる。
【００３２】
かかる導風板８を設けることにより、図３中の破線矢印Ｂで示すような、外気導入ダクト１ａ及び１ｂ後方への風の巻き込みを防止することができる。これにより、図３中の矢印Ａで示すように、走行風が熱交換器７へ効率的に導かれるとともに、走行風の通過速度の向上を図ることができる。
【００３３】
（第３実施形態）
次に、図４を参照して、第３実施形態の車両用外気導入構造について説明する。図４（ａ）は、第３実施形態の車両用外気導入構造を示す、車両前後方向に沿った断面図である。また、図４（ｂ）は、第３実施形態の車両用外気導入構造を備えた車両のフロントグリルの正面図である。
なお、図４（ａ）では、図面の理解を容易にするため、断面の切り口以外の構造の図示を一部省略している。また、図４（ｂ）では、フロントグリルのメッシュの図示を省略している。
【００３４】
第３実施形態の車両用外気導入構造は、一対の外気導入ダクト１ａ及び１ｂの各々の前部下方に、エンジンルームの下部に支持された熱交換器７へ走行風を導く導風手段を設けた点を除いては、上述の第１実施形態と同一である。このため、第３実施形態では、第１実施形態と同一の構成部分には同一符号を付し、それらの説明を省略する。
【００３５】
第３実施形態における導風手段は、外気導入ダクト１ａ及び１ｂで支持され、車両前後方向に延びる互いに平行な複数の導風縦フィン９から構成される。
なお、導風縦フィン９の設置枚数や、厚さ、面積等の寸法形状、及び、材質は、任意好適なものを選択することができる。
かかる導風縦フィン９を設けることにより、外気導入ダクト１ａ及び１ｂ下方からエンジンルーム１１０内へ流入する走行風の車幅方向の乱れが整流される。これにより、熱交換器７への導風効率の向上を図ることができる。
【００３６】
上述した各実施形態においては、本発明を特定の条件で構成した例について説明したが、本発明は種々の変更及び組み合わせを行うことができ、これに限定されるものではない。
【図面の簡単な説明】
【００３７】
【図１】（ａ）は、本発明の第１実施形態の車両用外気導入構造を備えた車両のエンジンルーム内の配置を説明するための上面概略図であり、（ｂ）は、本発明の車両用外気導入構造を備えた車両の前面概略図である。
【図２】（ａ）は、図１（ａ）のIIａ−IIａに沿った断面図であり、（ｂ）は、図１（ａ）のIIｂ−IIｂに沿った断面図である。
【図３】第２実施形態の車両用外気導入構造を示す、車両前後方向に沿った断面図である。
【図４】（ａ）は、第３実施形態の車両用外気導入構造を示す、車両前後方向に沿った断面図であり、（ｂ）は、第３実施形態の車両用外気導入構造を備えた車両のフロントグリルの正面図である。
【符号の説明】
【００３８】
１ａ、１ｂ  外気導入ダクト
２  エンジン吸気ダクト
２ａ  第１吸気通路
２ｂ  第２吸気通路
３  エアクリーナー
４  エンジン
５  フロントグリル
６  バンパーレインフォースメント
７  熱交換器
８  導風板
９  導風縦フィン
１１ａ、１１ｂ  前端
１２ａ、１２ｂ  後端
２１  前端
２２  先端
４１  吸気マニフォールド
５０  ライセンスプレート
１００  車両
１１０  エンジンルーム
１２０  ボンネット
【図１】
2007326487.tif 000003
【図２】
2007326487.tif 000004
【図３】
2007326487.tif 000005
【図４】
2007326487.tif 000006